(57)【特許請求の範囲】
【請求項１】
載置された原稿の画像を読み取る第１読取面を有する画像読取部と、
前記第１読取面の上方を覆う開閉可能なカバーと、
前記カバーに設けられ、所定の経路で原稿を搬送する自動原稿搬送装置と、
前記画像読取部に設けられ、前記自動原稿搬送装置によって搬送される原稿の画像を読み取る第２読取面と、
原稿を載置することができる第１位置と、前記第１位置と異なる位置にある第２位置との間を変位可能となるように前記自動原稿搬送装置に支持される載置トレイと、
前記カバーおよび前記画像読取部の一方に設けられ、他方に対向する対向面から前記他方へ向けて突出した突出位置と、前記対向面から突出していない退避位置とに移動可能に構成される突出部材と、
前記他方に設けられ、前記突出部材が挿入される位置決め部と、を備え、
前記突出部材は、前記カバーが閉じた状態で、前記載置トレイが前記第２位置から前記第１位置へ変位するのに連動して、前記退避位置から前記突出位置に移動し、前記位置決め部に挿入されることを特徴とする画像読取装置。
【請求項２】
前記自動原稿搬送装置は、前記自動原稿搬送装置内に原稿を給紙するための第１開口と、前記自動原稿搬送装置内の原稿を前記自動原稿搬送装置外に排紙するための第２開口と、を有し、
前記第１開口と前記第２開口は、上下方向において異なる位置に配置され、
前記載置トレイは、前記第１開口および前記第２開口のいずれか上方に設けられている方に隣接して設けられていることを特徴とする請求項１に記載の画像読取装置。
【請求項３】
前記突出部材は、前記カバーに設けられ、前記載置トレイを前記第２位置から前記第１位置に変位させたときに、前記載置トレイに押圧されることによって、前記退避位置から前記突出位置へ移動することを特徴とする請求項１または請求項２に記載の画像読取装置。
【請求項４】
前記突出部材は、棒状に形成されており、
前記カバーは、前記突出部材を、前記カバーが閉じた状態で、前記カバーと前記画像読取部が対向する方向にスライド移動可能に保持する保持部を有していることを特徴とする請求項１から請求項３のいずれか１項に記載の画像読取装置。
【請求項５】
前記突出部材を、前記突出位置から前記退避位置へ向けて付勢する付勢部材をさらに備えていることを特徴とする請求項４に記載の画像読取装置。
【請求項６】
前記突出部材は、先端に向かうほど細くなるように傾斜面が形成されていることを特徴とする請求項１から請求項５のいずれか１項に記載の画像読取装置。
【請求項７】
請求項１から請求項６のいずれか１項に記載された画像読取装置を備えることを特徴とする画像形成装置。
【発明の詳細な説明】
【技術分野】
【０００１】
本発明は、原稿の画像を読み取る画像読取装置と、当該画像読取装置を備えた画像形成装置に関する。
【背景技術】
【０００２】
一般に、画像読取装置として、フラットベッドスキャナと自動原稿搬送装置ＡＤＦ（Ａｕｔｏ  Ｄｏｃｕｍｅｎｔ  Ｆｅｅｄｅｒ）を備えたものが知られている。フラットベッドスキャナは、原稿台ガラス（第１読取面）上に載置された原稿を、原稿台ガラスとカバーで挟み、原稿台ガラスの下面に沿ってイメージセンサが走査することで、原稿の画像を読み取ることができるようになっている。自動原稿搬送装置ＡＤＦは、フラットベッドスキャナのカバーに設けられており、下面にイメージセンサが配置されているＡＤＦ読取部（第２読取面）に複数の原稿を順次搬送することで、複数の原稿の画像を連続して読み取ることができるようになっている。
【０００３】
ところで、自動原稿搬送装置ＡＤＦは、ＡＤＦ読取部に対して開閉するカバーに設けられており、カバーを開閉することで自動原稿搬送装置ＡＤＦとＡＤＦ読取部との位置がずれてしまい、画像を正確に読みとれないおそれがあるため、使用時には、自動原稿搬送装置ＡＤＦとＡＤＦ読取部との位置決めを行う必要がある。そこで、従来、フラットベッドスキャナと自動原稿搬送装置ＡＤＦを備えた画像読取装置として、原稿台ガラス上の原稿の有無を、センサを用いて検知し、原稿台ガラス上に原稿がない場合は、自動原稿搬送装置ＡＤＦを使用すると判断して、ソレノイドを用いて自動原稿搬送装置ＡＤＦが設けられているカバーとＡＤＦ読取部との位置決めを行っているものが知られている（例えば、特許文献１参照）。
【先行技術文献】
【特許文献】
【０００４】
【特許文献１】特開平９−２００４００号公報
【発明の概要】
【発明が解決しようとする課題】
【０００５】
しかしながら、上述した技術では、フラットベッドスキャナを使用したユーザが原稿台ガラス上に原稿を置き忘れたり、自動原稿搬送装置ＡＤＦを使用するユーザが一時的に原稿を原稿台ガラス上に置いていたりするときなど、原稿台ガラス上に原稿を置いた状態で自動原稿搬送装置ＡＤＦを使用して画像を読み取るときに、自動原稿搬送装置ＡＤＦとＡＤＦ読取部の位置合わせができなかった。
【０００６】
そこで、本発明は、自動原稿搬送装置ＡＤＦを使用して原稿の画像を読み取るときに、自動原稿搬送装置ＡＤＦとＡＤＦ読取部との位置合わせをより確実に行うことができる画像形成装置を提供することを目的とする。
【課題を解決するための手段】
【０００７】
前記した目的を達成するため、本発明の画像読取装置は、載置された原稿の画像を読み取る第１読取面を有する画像読取部と、第１読取面の上方を覆う開閉可能なカバーと、カバーに設けられ、所定の経路で原稿を搬送する自動原稿搬送装置と、画像読取部に設けられ、自動原稿搬送装置によって搬送される原稿の画像を読み取る第２読取面と、原稿を載置することができる第１位置と、第１位置と異なる位置にある第２位置との間を変位可能となるように自動原稿搬送装置に支持される載置トレイと、突出部材と、位置決め部と、を備えている。
突出部材は、カバーおよび画像読取部の一方に設けられ、他方に対向する対向面から他方へ向けて突出した突出位置と、対向面から突出していない退避位置とに移動可能に構成される。
位置決め部は、他方に設けられ、突出部材が挿入される構成になっている。
そして、突出部材は、カバーが閉じた状態で、載置トレイが第２位置から第１位置へ変位するのに連動して、退避位置から突出位置に移動し、位置決め部に挿入されることを特徴とする。
【０００８】
このように構成された画像読取装置によれば、載置トレイの開閉に連動して突出部材が突出するので、自動原稿搬送装置を使用するときに自動原稿搬送装置を第２読取面に対して位置決めすることができる。
【０００９】
そして、前記した画像読取装置において、自動原稿搬送装置は、自動原稿搬送装置内に原稿を給紙するための第１開口と、自動原稿搬送装置内の原稿を自動原稿搬送装置外に排紙するための第２開口と、を有し、第１開口と第２開口は、上下方向において異なる位置に配置され、載置トレイは、第１開口および第２開口のいずれか上方に設けられている方に隣接して設けられているのが望ましい。
【００１０】
このように構成された画像読取装置によれば、上方に配置される開口の方が原稿を載置するための面積が小さくなりやすいので、載置トレイを第２位置から第１位置へ変位させて原稿を載置するための面積を広くさせないと、自動原稿搬送装置が使用しにくいため、自動原稿搬送装置を使用するときに、より確実に自動原稿搬送装置を第２読取面に対して位置決めすることができる。
【００１１】
また、前記した画像読取装置において、突出部材は、カバーに設けられ、載置トレイを第２位置から第１位置に変位させたときに、載置トレイに押圧されることによって、退避位置から突出位置へ移動するのが望ましい。
【００１２】
このように構成された画像読取装置によれば、突出部材が、電気的制御によって退避位置から突出位置へ移動するように構成されている場合に比べて、自動原稿搬送装置を第２読取面に対して位置決めする機構を簡単な構成とすることができる。
【００１３】
そして、前記した画像読取装置において、突出部材は、棒状に形成されており、カバーは、突出部材を、カバーが閉じた状態で、カバーと画像読取部が対向する方向にスライド移動可能に保持する保持部を有しているのが望ましい。
【００１４】
このように構成された画像読取装置によれば、自動原稿搬送装置を第２読取面に対して位置決めする機構をより簡単な構成とすることができる。
【００１５】
また、前記した載置トレイに押圧されることによって、退避位置から突出位置へ移動する突出部材を備えた画像読取装置は、突出部材を、突出位置から退避位置へ向けて付勢する付勢部材をさらに備えていることが望ましい。
【００１６】
このように構成された画像読取装置によれば、自動原稿搬送装置の使用後、載置トレイを第１位置から第２位置へ変位させたときに、突出部材を簡単に退避位置に退避させることができる。
【００１７】
そして、前記した画像読取装置において、突出部材は、先端に向かうほど細くなるように傾斜面が形成されているのが望ましい。
【００１８】
このように構成された画像読取装置によれば、カバーを閉じたときに、突出部材と位置決め部の位置が多少ずれていても、傾斜面に沿って突出部材を位置決め部に挿入させることができる。
【００１９】
また、前記した目的を達成するための本発明は、前記した画像読取装置を備える画像形成装置として提供することができる。
【発明の効果】
【００２０】
本発明によれば、載置トレイの変位により自動原稿搬送装置を第２読取面に対して位置決めするので、自動原稿搬送装置を使用するときに確実に自動原稿搬送装置と第２読取面の位置合わせをすることができる。
【図面の簡単な説明】
【００２１】
【図１】本発明の一実施形態に係るカラー複合機の概略構成を示す側断面図である。
【図２】本発明の一実施形態に係る画像読取装置を示す斜視図である。
【図３】画像読取装置の第１位置に載置トレイが配置された状態を示す斜視図である。
【図４】画像読取装置の後側の構成を示す斜視図である。
【図５】画像読取装置のカバーを開けた状態を示す斜視図である。
【図６】画像読取装置の突出部材周辺の構造を示す図であって、突出部材が退避位置に位置する状態を示す図（ａ）と、突出部材が突出位置に位置する状態を示す図（ｂ）である。
【図７】変形例に係る画像読取装置の突出部材周辺の構造を示す図であって、突出部材が退避位置に位置する状態を示す図（ａ）と、突出部材が突出位置に位置する状態を示す図（ｂ）である。
【発明を実施するための形態】
【００２２】
＜カラー複合機の全体構成＞
次に、本発明の一実施形態について、適宜図面を参照しながら詳細に説明する。なお、以下の説明においては、まず、画像形成装置の一例としてのカラー複合機１の全体構成を説明した後、本発明の特徴部分である画像読取装置３を詳細に説明することとする。
【００２３】
以下の説明において、方向は、カラー複合機使用時のユーザを基準にした方向で説明する。すなわち、図１において、紙面に向かって右側を「前側（手前側）」、紙面に向かって左側を「後側（奥側）」とし、紙面に向かって奥側を「右側」、紙面に向かって手前側を「左側」とする。また、紙面に向かって上下方向を「上下方向」とする。
【００２４】
図１に示すように、カラー複合機１は、本体ケース２と、本体ケース２の上方に設けられた画像読取装置３とを主に備えている。また、カラー複合機１は、本体ケース２内に、用紙Ｐを供給する給紙部４と、供給された用紙Ｐに画像を形成する画像形成部５とを主に備えている。
【００２５】
本体ケース２の上部には、本体ケース２内から排出された用紙Ｐが載置される排紙トレイ２２が設けられている。
【００２６】
画像読取装置３は、排紙トレイ２２の上方に空間Ｓを介して設けられている。この画像読取装置３は、複写などの際に、セットされた原稿に光を照射して画像を読み取ることで画像データを生成する。なお、画像読取装置３の詳細な構成については後述する。
【００２７】
給紙部４は、本体ケース２内の下部に設けられ、本体ケース２に着脱可能に装着される給紙カセット４１と、給紙カセット４１の後部上方に設けられたピックアップローラ４２と、分離ローラ４３と、給紙ローラ４４，４５とを主に備えている。給紙カセット４１内の用紙Ｐは、ピックアップローラ４２で送り出され、分離ローラ４３で一枚ずつ分離されて給紙ローラ４４，４５で上方へ送られ、画像形成部５（中間転写ベルト９１と２次転写ローラ９３の間）に供給される。
【００２８】
画像形成部５は、露光ユニット６と、感光体ユニット７と、現像器ユニット８と、ベルトユニット９と、定着ユニット１０とから主に構成されている。
【００２９】
露光ユニット６は、給紙部４の上方に配置され、図示はしないが、公知のレーザ発光部、ポリゴンミラー、複数のレンズ、複数の反射鏡などを備えている。露光ユニット６では、イエロー、シアン、マゼンタ、ブラックの各色に対応させてレーザ発光部からのレーザ光が、ポリゴンミラーや反射鏡で反射されたり、レンズを通過したりした後に出射され、感光体ユニット７の感光体ドラム７１の表面上に高速走査にて照射される。
【００３０】
感光体ユニット７は、露光ユニット６の上方（現像器ユニット８とベルトユニット９との間）に配置され、前後方向に並列配置された４つの感光体ドラム７１と、各感光体ドラム７１に対応して設けられた帯電器７２とを主に備えている。
【００３１】
現像器ユニット８は、露光ユニット６と感光体ユニット７との間に配置され、各感光体ドラム７１に対応して設けられた４つの現像器８１を主に備えている。
【００３２】
各現像器８１は、感光体ドラム７１に対向して配置された現像ローラ８１Ａと、現像ローラ８１Ａにトナーを供給する供給ローラ８１Ｂと、トナーが収容されるトナー収容部８１Ｃと、トナー収容部８１Ｃ内に配置されたアジテータ８１Ｄとを主に備えている。各現像器８１では、トナー収容部８１Ｃ内のトナーが、回転駆動するアジテータ８１Ｄによって供給ローラ８１Ｂに供給され、さらに供給ローラ８１Ｂから現像ローラ８１Ａに供給されて、現像ローラ８１Ａ上に担持される。
【００３３】
ベルトユニット９は、感光体ユニット７の上方に配置され、中間転写ベルト９１、４つの１次転写ローラ９２、２次転写ローラ９３、駆動ローラ９４、従動ローラ９５、クリーニング部９６などを主に備えている。
【００３４】
中間転写ベルト９１は、無端状のベルトであり、前後に離間して平行に配置された駆動ローラ９４と従動ローラ９５との間に張設されている。この中間転写ベルト９１の外周面の下部には各感光体ドラム７１が対向して接し、外周面の後部には２次転写ローラ９３が対向して接している。
【００３５】
各１次転写ローラ９２は、中間転写ベルト９１の内周面に接し、各感光体ドラム７１との間で中間転写ベルト９１を挟持するように各感光体ドラム７１と対向して配置されている。２次転写ローラ９３は、中間転写ベルト９１を挟持するように駆動ローラ９４と対向して配置されている。１次転写ローラ９２および２次転写ローラ９３には転写時に転写バイアスが印加される。
【００３６】
クリーニング部９６は、中間転写ベルト９１の前寄り上方に配置され、中間転写ベルト９１上に残留したトナーを除去して貯留するように構成されている。
【００３７】
定着ユニット１０は、２次転写ローラ９３および駆動ローラ９４の上方に配置され、公知の構成を有する加熱ローラ１１と、加熱ローラ１１と対向配置されて加熱ローラ１１を押圧する加圧ローラ１２とを主に備えている。
【００３８】
以上のように構成される画像形成部５では、まず、各感光体ドラム７１の表面が、各帯電器７２により一様に帯電された後、露光ユニット６から照射されるレーザ光により露光される。これにより、露光された部分の電位が下がって、各感光体ドラム７１上に画像データに基づく静電潜像が形成される。
【００３９】
次いで、現像ローラ８１Ａと感光体ドラム７１とが対向して接触するときに、現像ローラ８１Ａ上に担持されたトナーが、感光体ドラム７１上に形成された静電潜像に供給される。これにより、感光体ドラム７１上でトナーが選択的に担持されて静電潜像が可視像化され、トナー像が形成される。
【００４０】
各感光体ドラム７１上に形成されたトナー像は、転写バイアスが印加された各１次転写ローラ９２の作用により中間転写ベルト９１上に順次重ね合わせて転写される。中間転写ベルト９１上に転写された各色のトナー像は、画像形成部５に供給された用紙Ｐが中間転写ベルト９１と２次転写ローラ９３の間を通過するときに、転写バイアスが印加された２次転写ローラ９３の作用により用紙Ｐ上に転写される。
【００４１】
トナー像が転写された用紙Ｐは、定着ユニット１０に搬送され、加熱ローラ１１と加圧ローラ１２との間を通過することでトナー像が熱定着される。トナー像が熱定着された用紙Ｐは、排紙ローラ２３によって本体ケース２内から空間Ｓに排出され、排紙トレイ２２上に蓄積される。
【００４２】
＜画像読取装置の構成＞
次に、画像読取装置３の詳細な構成について説明する。
図２に示すように、画像読取装置３は、フラットベッドスキャナ３Ａと自動原稿搬送装置３Ｂを主に有している。
【００４３】
フラットベッドスキャナ３Ａは、画像読取部の一例としての原稿台３１と、カバー３２と、ヒンジ部３４（図４参照）と、突出部材１００と、付勢部材の一例としてのコイルばね３５（図６（ａ）参照）を主に備えて構成されている。
【００４４】
原稿台３１は、読み取る原稿が載置される台であり、図５に示すように、第１読取面の一例としての原稿台ガラス３１１と、第２読取面の一例としてのＡＤＦ読取部３１２と、図示しないイメージセンサと、位置決め部の一例としての位置決め穴３１３を主に有している。
【００４５】
原稿台ガラス３１１は、原稿が載置される面積の大きいガラス板であり、原稿台３１の上面に設けられている。ＡＤＦ読取部３１２は、自動原稿搬送装置３Ｂによって搬送される原稿がその上を通過するガラス板である。ＡＤＦ読取部３１２は、左右の幅が小さく形成されており、原稿台ガラス３１１の左側に設けられている。
【００４６】
イメージセンサは、原稿台３１の内部において、原稿台ガラス３１１およびＡＤＦ読取部３１２の下面に沿って左右に移動可能に設けられている。このイメージセンサは、原稿台ガラス３１１およびＡＤＦ読取部３１２を通して、原稿の画像を読み取るように構成されている。
【００４７】
位置決め穴３１３は、原稿台ガラス３１１を挟んで後述するヒンジ部３４とは反対側に配置されている。より詳細には、位置決め穴３１３は、カバー３２を閉じた状態において、上下方向から見て、後述する突出部材１００と重なる位置に配置されている。位置決め穴３１３は、下に凹んだ底付きの穴として形成されている。
【００４８】
カバー３２は、原稿台ガラス３１１とＡＤＦ読取部３１２の上方を覆うように（図２参照）、ヒンジ部３４を介して原稿台３１に対して開閉可能に設けられている。カバー３２は、原稿台３１と対向する下面（対向面）３２１に、押圧板３２２とＡＤＦ押圧板３２３とを有している。
【００４９】
押圧板３２２は、原稿台ガラス３１１上に載置された原稿を原稿台ガラス３１１に向けて押圧する部材であり、画像読取中に原稿がずれてしまうのを防止している。
ＡＤＦ押圧板３２３は、自動原稿搬送装置３３１によって搬送される原稿をＡＤＦ読み取り部３１２に向けて押圧する部材であり、画像読取中に原稿が浮いたり、ずれてしまったりするのを防止している。
【００５０】
ヒンジ部３４は、図４に示すように、カバー３２の後端の左右２箇所を回動可能に軸支し、原稿台３１に保持されている。
【００５１】
そして、カバー３２は、図２に示すように、左側に、自動原稿搬送装置３Ｂを備えている。自動原稿搬送装置３Ｂは、原稿搬送部３３１と、載置トレイ３３２と、排出トレイ３３３と、を主に備えている。
【００５２】
原稿搬送部３３１は、第１開口の一例としての給紙口３３４（図３参照）と、第２開口の一例としての排紙口３３５と、図示しない搬送経路と、保持部の一例としての保持孔３３６（図６（ａ）参照）と、を有している。
【００５３】
給紙口３３４は、自動原稿搬送装置３Ｂ内に原稿を給紙するための開口であり、図３に示すように、原稿搬送部３３１の右側の上部に形成されている。
【００５４】
排紙口３３５は、自動原稿搬送装置３Ｂ内の原稿を自動原稿搬送装置３Ｂ外へ排紙するための開口であり、原稿搬送部３３１の右側の下部に形成されている。つまり、給紙口３３４と排紙口３３５は、上下方向において異なる位置に配置されている。
【００５５】
搬送経路（所定の経路）は、給紙口３３４から給紙された原稿を排紙口３３５に搬送するようになっている。そして、搬送経路は、原稿が、給紙口３３４から排紙口３３５に搬送される途中で、カバー３２からＡＤＦ読取部３１２側に原稿を露出させてＡＤＦ読取部３１２の上を通過させ、再度カバー３２内に搬送するように構成されている。
【００５６】
保持孔３３６は、図６（ａ）に示すように、原稿搬送部３３１（カバー３２）に形成される上下方向に貫通した孔である。この保持孔３３６は、給紙口３３４から右方に延びる面の前寄りの位置に形成されている（図２も参照）。この位置は、図６（ｂ）に示すように、載置トレイ３３２が第１位置に位置するときに、載置トレイ３３２が被さる位置である。
【００５７】
保持孔３３６の上端と下端には、内壁から径方向内側に突出するストッパ３３７，３３８が設けられている。
【００５８】
図３に示すように、載置トレイ３３２は、給紙口３３４に隣接して設けられており、原稿を載置することができる第１位置（図３に示す位置）と、第１位置と異なる位置にある第２位置（図２に示す位置）との間を変位可能となるように原稿搬送部３３１に回動可能に支持されている。
【００５９】
載置トレイ３３２は、第１位置に位置しているときに、給紙口３３４から右方へ向かって延び、上を向く載置面３３２Ａを有している。そして、載置トレイ３３２は、第１の位置から約１８０度回転させることで、図２に示すように、載置面３３２Ａが下を向いて原稿搬送部３３１上に被せられた第２位置に変位するようになっている。
【００６０】
このように構成されることにより、自動原稿搬送装置３Ｂを使用しないときには、載置トレイ３３２を第２位置に位置させておき、自動原稿搬送装置３Ｂを使用するときには、載置トレイ３３２を第１位置に変位させて、載置面３３２Ａ上に原稿を載置させることができるようになっている。
【００６１】
排出トレイ３３３は、カバー３２の上面に形成されており、読み取りが終了して排紙口３３５から排紙された原稿が載置されるようになっている。
【００６２】
突出部材１００は、図６（ａ）に示すように、上下方向に長い棒状の部材であり、保持孔３３６の上下方向の長さよりも長く形成されている。突出部材１００は、下端（先端）に傾斜面１１０が形成されており、下端に向かうほど細くなっている。また、突出部材１００は、上部に径方向外側に突出するフランジ部１２０を有している。
【００６３】
突出部材１００は、保持孔３３６内に、フランジ部１２０が保持孔３３６の上下のストッパ３３７，３３８の間に配置されるように保持されている。突出部材１００は、保持孔３３６内において、上下方向（カバー３２を閉じた状態のときの、カバー３２と原稿台３１が対向する方向）にスライド移動可能である。具体的には、突出部材１００は、図６（ｂ）に示すような、カバー３２の下面３２１から原稿台３１へ向けて下端が突出した突出位置と、図６（ａ）に示すような、カバー３２の下面３２１から下端が退避して、カバー３２の上面から上端が突出する退避位置とに移動可能となっている。
【００６４】
コイルばね３５は、突出部材１００に挿通され、突出部材１００のフランジ部１２０と保持孔３３６の下側のストッパ３３８の間に配置されており、突出部材１００を突出位置から退避位置へ向けて付勢している。
【００６５】
次に、以上のように構成された本発明の画像読取装置３の作用および効果について説明する。
原稿台ガラス３１１上に原稿を載置して画像を読み取る場合、載置トレイ３３２が第２位置に位置した状態でカバー３２を閉じ、画像読取を行う。このとき、図６（ａ）に示すように、突出部材１００は、コイルばね３５の付勢力により、退避位置に退避しているので、突出部材１００の下端が当接して原稿が傷つくのを防止することができる。
【００６６】
自動原稿搬送装置３Ｂを使用して原稿の画像を読み取る場合、カバー３２を閉じた状態で、載置トレイ３３２を第２位置から第１位置へ回動させ、載置面３３２Ａ上に原稿を載置して画像読取を行う。
【００６７】
カバー３２を閉じた状態で、載置トレイ３３２を第２位置から第１位置へ回動させると、図６（ｂ）に示すように、突出部材１００は、第２位置から第１位置へ変位する載置トレイ３３２に押圧されて、退避位置から突出位置へ移動し、突出部材１００の下端が原稿台３１の位置決め穴３１３に挿入される。これにより、カバー３２が原稿台３１に対して位置決めされるので、自動原稿搬送装置３ＢをＡＤＦ読取部３１２に対して位置決めすることができる。
【００６８】
このように、本発明の画像読取装置３は、原稿を載置する載置トレイ３３２の第２位置から第１位置へ回動する動作に連動して、突出部材１００が退避位置から突出位置へ移動し、位置決め穴３１３に挿入される構成であるので、自動原稿搬送装置３Ｂを使用するときに原稿を載置するために載置トレイ３３２を開くことで、自動原稿搬送装置３ＢをＡＤＦ読取部３１２に対して位置決めすることができる。
【００６９】
また、一般に排紙口と給紙口とが上下に配置されている場合、上に配置されている方が下に配置されている方よりも原稿を載置するためのスペースが小さくなりやすい。そこで、載置トレイ３３２を排紙口３３５よりも上方に設けられている給紙口３３４に隣接させて配置することで、自動原稿搬送装置３Ｂを使用するときに、ユーザが、原稿を載置するためのスペースを広くするために、載置トレイ３３２を第１位置に回動するのを促すことができる。よって、ユーザが自動原稿搬送装置３Ｂを使用するときに、より確実に自動原稿搬送装置３ＢをＡＤＦ読取部３１２に対して位置決めすることができる。
【００７０】
そして、突出部材１００は、第２位置から第１位置へ回動する載置トレイ３３２に押圧されることによって、退避位置から突出位置へ移動するように構成されているので、突出部材１００が電気的制御によって退避位置から突出位置へ移動するように構成されている場合に比べて、自動原稿搬送装置３ＢをＡＤＦ読取部３１２に対して位置決めする機構を簡単な構成とすることができる。
【００７１】
また、突出部材１００は、棒状に形成され、カバー３２に形成されている保持孔３３６に保持されているので、自動原稿搬送装置３ＢをＡＤＦ読取部３１２に対して位置決めする機構をより簡単な構成とすることができる。
【００７２】
そして、突出部材１００は、先端に向かうほど細くなるように傾斜面１１０が形成されているので、カバー３２を閉じたときに、突出部材１００と位置決め穴３１３の位置が多少ずれていても、傾斜面１１０に沿って突出部材１００を位置決め穴３１３に挿入し、自動原稿搬送装置３ＢをＡＤＦ読取部３１２に対して位置決めできる。
【００７３】
また、突出部材１００は、コイルばね３５によって突出位置から退避位置へ向けて付勢されているので、自動原稿搬送装置３Ｂの使用後、載置トレイ３３２を第１位置から第２位置へ回動させたときに、突出部材１００を簡単に退避位置に退避させることができる。
【００７４】
以上、本発明の実施形態について説明したが、本発明は前記実施形態に限定されるものではない。具体的な構成については、本発明の趣旨を逸脱しない範囲で適宜変更が可能である。
【００７５】
前記実施形態では、突出部材１００が上下方向に長い棒状の部材であったが、本発明はこれに限定されるものではなく、棒状ではない部材であってもよい。例えば、図７（ａ）に示すように、突出部材２００は、側面視略Ｌ字状に形成された部材とすることができる。
【００７６】
突出部材２００は、カバー３２に設けられている保持孔３３６の内壁に揺動可能に支持されている。突出部材２００は、揺動軸から右斜め上方へ向けて延びる第１アーム２１０と、揺動軸から右斜め下方へ向けて延びる第２アーム２２０とを有している。
【００７７】
この突出部材２００は、第２アーム２２０の先端がカバー３２の下面３２１から原稿台３１に向けて突出した突出位置（図７（ｂ）に示す位置）と、第２アーム２２０が下面３２１から突出せず、第１アーム２１０の先端がカバー３２の上面から突出した退避位置（図７（ａ）に示す位置）との間を回動により移動可能となっている。
【００７８】
また、突出部材２００の揺動軸には、ねじりコイルばね３６が支持されている。ねじりコイルばね３６は、突出部材２００を、突出位置から退避位置に付勢している。
【００７９】
このように構成された突出部材２００は、載置トレイ３３２を第２位置から第１位置へ回動させると、図７（ｂ）に示すように、第１アーム２１０に載置トレイ３３２が当接し、図示時計回りに揺動する。これにより、突出部材２００は、突出位置に移動し、第２アーム２２０が原稿台３１に形成された左右に延びる位置決め溝３１３に挿入される。
【００８０】
そして、前記実施形態では、突出部材１００は、第２位置から第１位置へ変位する載置トレイに押圧されて、退避位置から突出位置へ移動するように構成されていたが、本発明はこれに限定されるものではない。例えば、画像読取装置３は、制御部と、載置トレイの位置を検知するセンサを備え、制御部による制御によって突出部材１００を第２位置から第１位置へ変位させるように構成してもよい。具体的に、制御部は、センサを通じて載置トレイが第１位置にあると判断したとき、ソレノイドを用いて突出部材を退避位置から突出位置へ移動させるように構成することができる。
【００８１】
また、前記実施形態では、突出部材１００はカバー３２に設けられ、位置決め穴３１３は原稿台３１に設けられていたが、本発明はこれに限定されるものではない。例えば、突出部材は原稿台３１に設けられ、位置決め部はカバー３２に設けられていてもよい。
【００８２】
そして、前記実施形態では、載置トレイ３３２は、排紙口３３５よりも上方に設けられている給紙口３３４に隣接して設けられていたが、本発明はこれに限定されるものではない。例えば、排紙口３３５が給紙口３３４よりも上方に設けられており、載置トレイ３３２は、排紙口３３５に隣接して設けられている構成であってもよい。
【００８３】
また、前記実施形態では、原稿台ガラス３１１とＡＤＦ読取部３１２がそれぞれ別個のガラス板として設けられていたが、本発明はこれに限定されるものではない。例えば、原稿台ガラスの一部がＡＤＦ読取部となっていてもよい。
【００８４】
前記実施形態では、画像形成装置として、カラー複合機１を例示したが、本発明はこれに限定されず、例えば、複写機などであってもよい。
【符号の説明】
【００８５】
１      カラー複合機
３      画像読取装置
３Ａ    フラットベッドスキャナ
３Ｂ    自動原稿搬送装置
３１    原稿台
３２    カバー
１００  突出部材
１１０  傾斜面
３１１  原稿台ガラス
３１２  ＡＤＦ読取部
３１３  位置決め穴
３３２  載置トレイ
３３４  給紙口
３３５  排紙口
３３６  保持孔
【図１】
0005790323.tif 000002
【図２】
0005790323.tif 000003
【図３】
0005790323.tif 000004
【図４】
0005790323.tif 000005
【図５】
0005790323.tif 000006
【図６】
0005790323.tif 000007
【図７】
0005790323.tif 000008